(57)【要約】【課題】患者への負担を増加させることなく胃瘻チューブを引き抜き易い汚染防止用カバーを提供する。【解決手段】汚染防止用カバー１は、胃瘻チューブ９を患者Ｐの口腔１１から胃へ挿入するときに胃瘻チューブ９が汚染されることを防止するために胃瘻チューブ９を覆うものである。汚染防止用カバー１は、挿入側の先端から内側へ折り返された折返部４を備え、胃瘻チューブ９は折返部４に収容される。これにより、汚染防止用カバー１を胃瘻チューブ９の外径に合わせて従来よりも小径に作ることができ、患者Ｐへの負担も少なく抑えて負担増加を防止することができ、且つ容易に胃瘻チューブ９を引き抜くことができる汚染防止用カバー１を提供することができる。【選択図】図１
2017086610.tif 000002
【特許請求の範囲】
【請求項１】
筒状のカバー本体を備え、胃瘻チューブを患者の口腔から胃へ挿入するときに前記胃瘻チューブを前記カバー本体に収容することによって、前記胃瘻チューブが汚染されることを防止する汚染防止用カバーであって、
汚染防止用カバーは、前記カバー本体の挿入方向の先端側から前記カバー本体の内側へ折り返された折返部を備え、前記カバー本体の折返部と、折り返されていないカバー本体の外側筒部との２層構造となっており、
前記胃瘻チューブは前記折返部に収容されることを特徴とする汚染防止用カバー。
【請求項２】
請求項１記載の汚染防止用カバーであって、
前記２層構造の先端部は、三角形状に折り畳まれ、固定糸で固定され、
前記固定糸は、前記２層構造の前記折返部と前記外側筒部との間を通って、前記カバー本体の基端まで延びることを特徴とする汚染防止用カバー。
【発明の詳細な説明】
【技術分野】
【０００１】
本発明は、胃瘻カテーテルを口腔から胃へ挿入するときに胃瘻カテーテルに口腔内の菌等が付着して汚染されることを防止する汚染防止用カバーに関する。
【背景技術】
【０００２】
従来、胃瘻カテーテルを口腔から胃へ挿入するときに胃瘻カテーテルに口腔内の菌等が付着して汚染されることを防止する汚染防止用カバーが知られている（例えば、特許文献１参照）。特許文献１の汚染防止用カバーによれば、胃瘻チューブを汚染することなく患者の口腔から胃瘻へと装着することができる。
【先行技術文献】
【特許文献】
【０００３】
【特許文献１】特開２００９−２５４６９３号公報
【発明の概要】
【発明が解決しようとする課題】
【０００４】
従来の汚染防止用カバーは、その内部に収容された胃瘻チューブが引き抜かれるため、胃瘻チューブに対して径が小さすぎると胃瘻チューブが汚染防止用カバー内で引っ掛かり易く、胃瘻チューブが取り出し難いという問題がある。そして、あまりに胃瘻チューブが取り出し難いと強く引っ張ったときに誤って胃瘻チューブが患者の胃瘻から飛び出してしまう虞もある。
【０００５】
逆に、胃瘻チューブを取り出し易いように汚染防止用カバーの径を大きくすると、汚染防止用カバーを患者の口腔から挿入する際に、患者の負担が大きいという問題がある。
【０００６】
本発明は、以上の点に鑑み、患者への負担を増加させることなく胃瘻チューブを引き抜き易い汚染防止用カバーを提供することを目的とする。
【課題を解決するための手段】
【０００７】
上記目的を達成するため、本発明は、筒状のカバー本体を備え、胃瘻チューブを患者の口腔から胃へ挿入するときに前記胃瘻チューブを前記カバー本体に収容することによって、前記胃瘻チューブが汚染されることを防止する汚染防止用カバーであって、汚染防止用カバーは、前記カバー本体の挿入方向の先端側から前記カバー本体の内側へ折り返された折返部を備え、前記カバー本体の折返部と、折り返されていないカバー本体の外側筒部との２層構造となっており、前記胃瘻チューブは前記折返部に収容されることを特徴とする。
【０００８】
本発明によれば、内側に折り返された折返部に胃瘻チューブが収容されているため、最終的に、胃瘻チューブを汚染防止用カバーの中から引き抜くときには、胃瘻チューブの強い摩擦力によって内側に折り返された折返部が捲り返されるようにして内側から外側へ延びていく。これにより、胃瘻チューブは汚染防止用カバーとの間で摩擦力を発生させることなく、汚染防止用カバーの外側と内側の折返部との間でのみ摩擦力が発生するため、胃瘻チューブを比較的容易に汚染防止用カバーから取り出すことができる。
【０００９】
従って、汚染防止用カバーを胃瘻チューブの外径に合わせて従来よりも小径に作ることができ、患者への負担も少なく抑えて負担増加を防止することができ、且つ容易に胃瘻チューブを引き抜くことができる汚染防止用カバーを提供することができる。
【００１０】
［２］また、本発明においては、前記２層構造の先端部は、三角形状に折り畳まれ、固定糸で固定され、前記固定糸は、前記２層構造の前記折返部と前記外側筒部との間を通って、前記カバー本体の基端まで延びるように構成してもよい。
【００１１】
かかる構成によれば、固定糸を２層構造の間に配置することができ、胃瘻チューブと汚染防止用カバーとの間に固定糸が挟まれることを防止できると共に、固定糸を汚染防止用カバー内に配置させることで、汚染防止用カバー外に配置したときのように固定糸によって患者への負担増加を防止することができる。
【図面の簡単な説明】
【００１２】
【図１】本発明の汚染防止用カバーの実施形態を一部断面で示す説明図。
【図２】本実施形態の汚染防止用カバーの先端を折り畳む前の状態を示す説明図。
【図３】本実施形態の汚染防止用カバーの先端を固定糸で固定した状態を示す説明図。
【図４】本実施形態の汚染防止用カバーを患者の口腔から胃へ挿入した状態を示す説明図。
【図５】図５Ａは、胃瘻チューブが引張られて折返部が捲り返されていく状態を示す説明図。図５Ｂは、胃瘻チューブが汚染防止用カバーから引っ張り出された状態を示す説明図。
【図６】図６は、胃瘻チューブが胃瘻に装着された状態を示す説明図。
【図７】本発明の汚染防止用カバーの第２実施形態を示す説明図。
【図８】図８Ａは第２実施形態の汚染防止用カバーの組み立て工程を示す断面図。図８Ｂは、第２実施形態の汚染防止用カバーの先端部を示す断面図。
【発明を実施するための形態】
【００１３】
［第１実施形態］
図１に示すように、本発明の実施形態の汚染防止用カバー１は、円筒状のカバー本体２と、カバー本体２の基端に設けられたマウスピース部３とを備える。カバー本体２の先端側は、内側へ折り返されている。この折り返された部分を折返部４、折り返されていないカバー本体２の部分を外側筒部５と定義する。カバー本体２の折り返された先端部分は、四つ折りに折り畳まれ、固定糸６で固定されている。
【００１４】
図２に四つ折りに折り畳む前のカバー本体２を示す。カバー本体２には、折り畳んだときに連続する孔が３つできるように複数の固定糸用の挿通孔７が穿設されている。また、四つ折りし易いように案内線８が設けられている。図３は、案内線８に沿って四つ折りに折り畳んだ状態を示している。
【００１５】
図１に示すように、汚染防止用カバー１には、胃瘻チューブ９が収容される。胃瘻チューブ９は、チューブ本体９ａと、バンパー部９ｂと、チューブ本体９ａの口腔内への挿入方向端に設けられたワイヤー９ｃとで構成されている。ワイヤー９ｃは、四つ折りに折り畳まれた三角形状の先端から外側に露出している。
【００１６】
胃瘻チューブ９が収容された汚染防止用カバー１は、図４に示すように、患者Ｐの胃瘻１０を通して図示省略の内視鏡で口腔１１まで延ばされたガイドワイヤＧで、ワイヤー９ｃを口腔から胃に向かって引張り、口腔から胃へと挿入される。
【００１７】
なお、図４においては、汚染防止用カバー１が胃の中まで延びているように示されているが、実際には胃の入り口まで汚染防止用カバー１が到達すれば十分であり、汚染防止用カバー１の長さは必要に応じて適宜設定される。
【００１８】
ガイドワイヤＧの操作者は、適切な位置で汚染防止用カバーを掴み、患者の口腔内から外に延びる固定糸６を引張って、固定糸６による汚染防止用カバー１の先端の四つ折り状態を解除する。
【００１９】
そして、操作者は、汚染防止用カバーがそれ以上口腔内に挿入されないように固定しつつ、更にガイドワイヤＧを胃瘻内から外に引張る。すると、図５Ａに示すように、折返部４が捲り返されるようにして挿入方向に延びていき、胃瘻チューブ９が折返部４の捲り返されて延びるに従って、胃瘻１０側へと進んでいく。
【００２０】
これは、胃瘻チューブ９のバンパー部９ｂが胃瘻１０から容易に脱落しないように比較的摩擦係数の高い素材で構成されているのに対し、汚染防止用カバー１は、患者Ｐの口腔１１を通過するため、患者Ｐの負担を軽減させるべく比較的摩擦係数の低い素材で構成されているためである。即ち、バンパー部９ｂの摩擦係数よりもカバー本体２の摩擦係数の方が低いため、バンパー部９ｂと折返部４との間の摩擦力よりも、折返部４と外側筒部５との間の摩擦力の方が低くなり、バンパー部９ｂがガイドワイヤＧで引張られると共に折返部４がバンパー部９ｂと共に引張られて、折返部４が捲り返されていく。
【００２１】
そして、最終的には、図５Ｂに示す如く、胃瘻チューブ９は、汚染防止用カバー１から抜け出し、図６に示すように胃瘻１０に固定される。
【００２２】
本実施形態の汚染防止用カバー１によれば、内側に折り返された折返部に胃瘻チューブ９が収容されているため、最終的に、胃瘻チューブ９を汚染防止用カバー１の中から引き抜くときには、胃瘻チューブ９の強い摩擦力によって内側に折り返された折返部４が捲り返されるようにして内側から外側へ延びていく。これにより、胃瘻チューブ９は汚染防止用カバー１との間で摩擦力を発生させることなく、汚染防止用カバー１の外側の外側筒部５と内側の折返部４との間でのみ摩擦力が発生するため、胃瘻チューブ９を比較的容易に汚染防止用カバー１から取り出すことができる。
【００２３】
従って、汚染防止用カバー１を胃瘻チューブ９の外径に合わせて従来よりも小径に作ることができ、患者Ｐへの負担も少なく抑えて負担増加を防止することができ、且つ容易に胃瘻チューブ９を引き抜くことができる汚染防止用カバー１を提供することができる。
【００２４】
［第２実施形態］
図７及び図８を参照して、本発明の汚染防止用カバーの第２実施形態について説明する。第２実施形態の汚染防止用カバー１は、第１実施形態と比較して、固定糸６の配置が異なる以外は全て同一に構成される。
【００２５】
図７に示すように、第２実施形態の固定糸６は、汚染防止用カバー１の２層構造を構成する折返部４と外側筒部５との間を通って、カバー本体２の基端側に延び、マウスピース部３から外に向かって延びている。
【００２６】
固定糸６の取付方法は、まず、折返部４を折り返す前に、固定糸６をカバー本体２の内側を通して、中間に配置されている挿通孔７の内、最も基端側に位置する外側筒部５に設けられた挿通孔７を通して外側に露出させておく。そして、図８Ａに示すように、折返部４を外側筒部５の内側へ折り返して２重構造とし、案内線８に沿って四つ折りに折り返して先端を三角形状とする。
【００２７】
その後、図８Ｂに示すように、固定糸６を各挿通孔７に挿通して四つ折りの折り畳み状態を固定する。
【００２８】
第２実施形態の汚染防止用カバー１によれば、第１実施形態の効果に加えて、更に、固定糸６を２層構造の間に配置することができ、胃瘻チューブ９と汚染防止用カバー１との間に固定糸６が挟まれて固定糸６が引き抜き難くなることを防止できる。また、固定糸６を汚染防止用カバー１内に配置させることで、汚染防止用カバー１外に配置したときのように固定糸６を引張ったときに患者へ刺激を与えて患者の負担が増加するような事態を防止することができる。
【符号の説明】
【００２９】
１  汚染防止用カバー
２  カバー本体
３  マウスピース部
４  折返部
５  外側筒部
６  固定糸
７  挿通孔
８  案内線
９  胃瘻チューブ
９ａ  チューブ本体
９ｂ  バンパー部
９ｃ  ワイヤー
１０  胃瘻
１１  口腔
Ｇ  ガイドワイヤ
Ｐ  患者
【図１】
2017086610.tif 000003
【図２】
2017086610.tif 000004
【図３】
2017086610.tif 000005
【図４】
2017086610.tif 000006
【図５】
2017086610.tif 000007
【図６】
2017086610.tif 000008
【図７】
2017086610.tif 000009
【図８】
2017086610.tif 000010